(57)【要約】      （修正有）【課題】放電音が小さくでき、放電素子の製作、清掃、交換の点の問題がなく、安定した放電が可能な直流電流ストリーマ放電による有害物質除去装置を提供する。【解決手段】コイルを製作する方法で製作した放電素子５のピンの形状は０．５ｍｍ以下（放電音を低くするためには０．１５ｍｍ以下）の径又は幅で、ピン間隔をピン径又は幅の数倍程度をあけて配置し、放電素子は、その長さはピン固定台より５ｍｍ以上長くし、５ＫＶ以上の電圧を加え、この放電素子を筒の中央に配置したロータリー６に固定して、素子回りを風が流れるようにし、この放電素子を組み込んだ放電装置、オゾン分解触媒フィルター３、光触媒フィルター２等の組み合わせにより有害物質の処理能力を行うようにした。【選択図】図２
2009291579.tif 000002
【特許請求の範囲】
【請求項１】
放電素子のピン径とピンの配置及び構造によって直流電流でのストリーマ放電を安定し持続的に発生させるための方法。
【請求項２】
放電性能の維持と劣化が最小限に押さえることが出来る放電素子のピン先端形状について。
【請求項３】
ストリーマ放電発生の安定した持続性能が得られるための放電素子の配置と電圧との関係。
【請求項４】
回転ロータリー構造で放電素子の汚れを自動的に取りのぞく方法。
【請求項５】
回転ロータリーに取り付けた放電素子を簡単に交換出来る構造。
【請求項６】
ストリーマ放電時に発生する放電音を最小にする方法。
【請求項７】
マイナス電極である筒に光触媒を塗布して汚れを取る方法。
【請求項８】
放電素子の加工方法。
【請求項９】
オゾン分解触媒フィルターと光触媒フィルターを組み合わせた、有害物質処理の高効率構造。
【発明の詳細な説明】
【発明の詳細な説明】
【技術分野】
【０００１】本発明は直流電流ストリーマ放電での安定した持続性能を得る事が技術的に困難であった問題と電力投入量を増やす事の難易度のために、高効率な有害物質除去装置の開発が出来なかったが、これらの諸問題を解決できる方法である。
【背景技術】
【０００２】近年環境問題が注目されている。有害物質除去装置は環境改善には必要な装置であるが装置自体が使用する電力又使われている資材も問題になってきている。現在普及している白金を主体とした消臭装置もレア．メタル問題と消費電力の問題があり早急な改善が求められている。ストリーマ放電による有害物質除去能力は同電力比でグロー放電に比べ１０００倍以上の効果を持っていると言われる。又ストリーマ放電によって生成される（ＯＨ）ラジカル、又オゾン分解処理をすることによって生成される（Ｏ）ラジカル等が細菌を酸化し死滅させるという能力もあり、現在問題化してきている鳥インフルエンザの空気感染予防にも対処でき有害物質除去能力とともに注目される方式でもある。【０００３】他の有害物質除去装置に比べ実用化されれば消費電力は１０分の１から１００分の１程度の消費電力で済むこのことは環境問題を考える上でも重要なことになってきている。これらのメリットが有るにもかかわらず実用化出来なかったのは先にも述べたとおり直流によるストリーマ放電の安定した持続性能が得られない事と電力の投入が出来ないこと、言い換えれば処理能力が低かったことにある。実用化されれば他の放電方式に比べて電源及び放電装置部の製造コストは低く抑えることが出来る。加工技術に特殊性がなく非常に簡単に出来る事もあり処理能力も小さなものから大きなものまで対応が可能であり用途は限りなく考えられる。【０００４】
【特許文献１】特願２００７−２１９０１４
【発明が解決しようとしている課題】
【０００５】従来の直流放電素子構造は径が太く１ｍｍ程度のピン先をとがらせ隣とのピン間隔を気にせず並べたものや板を平行に並べたもの又筒の中央に線を張ったものなどがあり安定した持続的な放電性能を得ることが出来ず実用化は難しかった。従来の技術を鑑み放電素子のピン形態とピン固定方法と放電素子のピン、配置及び装置そのもの処理能力を高める全体的な構造を検討することにより、従来出来なかった直流ストリーマ放電の安定した持続性能と電流投入量の増大により細菌処理から有害物質高効率除去が出来るようになった。
【発明を実施するための最良の形態】
【０００６】径１．０ｍｍ程度のピンの先をとがらせ並べても安定したストリーマ放電を得ることは出来ない。直流電流でストリーマ放電が安定持続性を得られるためのピンの形態と固定方法を鋭意検討した結果、放電素子のピンの形状は径又は幅、厚みを０．５ｍｍ以下とし必ずピン間をあける。ピン間の距離はピンの径の数倍程度２０の寸法を取り先端がピン同士接触しないよう図３のように直列に並べて固定する。直列に並べたものを放電素子５をロータリー６に複数枚取り付ける。ロータリーを中心にしたガイド筒１３筒を配置する。ピンの長さは固定する板２１より１９の寸法を５ｍｍ以上にする。又ファン１を出口に配置し高速気流を流す。ピンの径を細くすること又ピンの間隔をとることで冷却効果を高め電極表面温度があがらないようにすると同時にイオンの電界によるドリ  フトを押さえる事が出来、直流ストリーマ放電を安定持続させることが出来る。理想的なピンの形状は径、又は幅、厚みが０．１５ｍｍ以下を推奨。（ピンの径、並べ方、長さ、固定方法）【０００７】放電ピン１８の形状は先端をとがらせるのではなく先端を９０度でカットする。先端をとがらせると放電による摩耗が早くなる。又先端を磨くとき作業がしにくくなる。又ピンが太いと放電が不安定になり出来るだけ細いピンの方が放電条件が良くなるが耐久性と弾性が必要でありピン径は材質により限定される、（ピンの形状条件）。【０００８】放電性能を維持するための放電素子の配置は対極面の１３筒内面より５ｍｍ以上５の放電素子のピン先端が離れるようにする。又１２より放電素子に加える電圧は５ＫＶ以上かける。この条件以外だと放電の不安定さがあり電流量が増えない。又電圧を掛けすぎても不安定になる。放電距離／電圧が＝１．２以下の条件も必要になる。（放電素子の投入電圧と配置条件）【０００９】筒の中央に放電素子５を取り付けた６ロータリーを配置することで放電素子が劣化した場合簡単に放電素子を一括して取り外し交換出来る事により、性能の維持が可能になった。簡単に取り外しが出来る構造として電流取り入れ電極軸４をロータリーの中心に配置し電極バネ板１７電流分配連結板１１を通し放電素子に一括して電流を流し込む方法にした。（着脱可能にした構造）【００１０】放電素子の電極の汚れは放電電流の低下する原因になり定期的に清掃しクリーンさを保たなければならない。筒型ロータリー放電装置の回転をするという特長を生かして研磨剤を塗布した布又は板の放電ピン清掃板９を薄いバネ板１０でロータリの外筒１１３に固定する。又清掃時にピンが曲がらないため放電素子に平行にピンガイド板２６を設置する。ロータリー６を回転させることにより電極ピンの先端を磨くことが出来電流の低下を防ぐことが出来るようにした。（ピン清掃構造）【００１１】ストリーマ放電の場合放電時に放電音が出る。音を小さくするための方法は色々発表されているが鋭意検討の結果ピンを細くすることで小音になる事を見いだせた。放電素子のピン１８径１．０ｍｍと０．１５ｍｍの径では出ていた音の比較では径０．１５ｍｍにすると３分の１程度以下になる。このことはピン１本から出る放電量の違いからくる。同放電量であれば細いピンを量多く配置し放電量を分散させピン���トータルで同放電量にする事で音を小させる事が出来る。（音を小音にするピンのの形状と配置）【００１２】筒１３の汚れの原因なる煙等は（＋）に帯電され（−）の電極に引き寄せられる（−）電極側は筒１３側になるので筒が汚れることになる。この汚れを取るために筒１３の内側に光触媒を塗布する。光触媒はストリーマ放電が出す紫外線によって励起され汚れを分解することになる。（筒の汚れ防止）【０００１３】放電素子の加工方法は線材の場合［図６］のように線材を中間板２２にコイルを状態になるように２４の治具を使い巻く。但しコイルの巻き方と違うのは線材の径一本分から数本分程度あけて巻かなければならない。巻き終わったら巻いた放電素子を両側固定板２１で固定をし巻いた線材（ピン）がずれないようにする。巻いたコイル状の放電素子を抜き指定されたピンの長さに２３の部分でカットする。（コイル形態の加工法）
板をプレスする場合指定されたピンの太さと同寸同厚の板を用意し線材と同寸法の間隔と線材と同寸の長さでプレス加工をする線材と同様にプレスしたピン板を中間板２２を挟み両側面を２１固定板で挟み固定する。（プレス加工によるピンの加工）【００１４】始めに（ＯＨ）ラジカルとオゾン等が２７のラジカル生成空間でストリーマ放電時に生成され有害物質、細菌等を酸化させる初段階処理をする。光触媒フィルター２を紫外線のないところで活性化させるためにオゾン分解フィルター３を光触媒フィルターの手前に配置する。筒１３を通過するオゾンはオゾン分解フィルターで分解される。そのときオゾンが分解され活性種の（Ｏ）が生成さる。有害物質処理をし余った活性種（ＯＨ）と活性種（Ｏ）が光触媒フィルターを通過し光触媒を励起させる。この２種類の触媒フィルター効果で再度、有害物質除去処理し効率を高めることが出来る。又この配置を直列に図７のように処理物質の処理濃度に合わせ、ダブルに配置する又は直列に複数本くみあわせる事により有害物質を完全処理することに近づける事が出来る。（ストリーマ放電とオゾン分解フィルター、光触媒フィルターの組み合わせによる有害物質除去高効率化方法）
【発明の効果】
【００１５】従来から直流ストリーマ放電は大量の有害物質除去に向いている方式だと言われていたが放電の安定さに欠けると同時に電流量の投入に限界があり実用化に問題があった。筒型ロータリーの特長とピンの構造、配置等の工夫により放電の安定した持続性と電流の投入量が自由に増す事が出来た。このことと同時に２種類の触媒フィルターの組み合わせにより細菌及び有害物質の除去効率が高まった。又簡単にして放電素子を交換が出来、放電素子の清掃の自動化が可能になりメンテナンスがらくになりさらに実用化に近づいた。
【図面の簡単な説明】
【図１】  有害物質除去装置本体を上から見た図面である。
【図２】  有害物質除去装置本体を横から見た断面図面である。
【図３】  放電素子の側面図である。
【図４】  放電素子ピン部の拡大図面である。
【図５】  放電素子を上から見た図である。
【図６】  コイル状に巻いた側面図である。
【図７】  有害物質除去装置本体を直列に並べた図である。
【符号の説明】
１  処理気体用排気ファン
２  光触媒フィルター
３  オゾン分解触媒フィルター
４  電流供給電極軸
５  放電素子
６  放電素子取り付け用ロータリー
７  ロータリー駆動用モータ
８  本体ケース
９  放電素子ピン清掃板
１０  清掃部取り付けバネ板
１１  電流分配連結板
１２  直流高圧電流取り入れ口（＋）電極
１３  ロータリーガイド筒
１４  直流高圧電流取り入れ口（−）電極
１５  ロータリー取り付け用ビス
１６  気体の流れ方向
１７  電極バネ板
１８  放電ピン
１９  ピン固定扱よりののピンの長さ
２０  ピン間の距離
２１  ピン固定側板
２２  ピン配置用固定中間板
２３  ピン用巻き線カット位置
２４  ピン巻き用治具
２５  ピン用巻き線
２６  ピンそり防止板
２７  ラジカル生成空間
【図１】
2009291579.tif 000003
【図２】
2009291579.tif 000004
【図３】
2009291579.tif 000005
【図４】
2009291579.tif 000006
【図５】
2009291579.tif 000007
【図６】
2009291579.tif 000008
【図７】
2009291579.tif 000009
【手続補正書】
【提出日】平成20年11月11日(2008.11.11)
【手続補正２】
【補正対象書類名】特許請求の範囲
【補正対象項目名】全文
【補正方法】変更
【補正の内容】
【特許請求の範囲】
【請求項１】
直流電流の印加によるストリーマ放電を発生させる放電素子であって、
直流電流を印加する複数本のピンを備え、
前記各ピンは、ピン径、又は、ピンの幅ないし厚さを０．５ｍｍ以下とし、
前記複数のピンを、ピン間の距離をピン径、又は、ピンの幅ないし厚の数倍の範囲内で直列に配置することを特徴とする直流ストリーマ放電の放電素子。
【請求項２】
前記ピンの先端は、長さ方向に対して９０°に形成した端部形状を有することを特徴とする、請求項１に記載の直流ストリーマ放電の放電素子。
【請求項３】
前記各ピンのピン径、又は、ピンの幅ないし厚さは０．１５ｍｍ以下であることを特徴とする請求項１又は２に記載の直流ストリーマ放電の放電素子。
【請求項４】
２枚の中間板を所定の間隔を開けて、面方向に平行に配置する配置工程と、
両中間板間に線材を、当該線材の１本分から数本分の太さと同程度の間隔をあけて巻回する巻回工程と、
前記中間板に巻回した線材を２枚の固定板で挟んで前記線材を固定する固定工程と、
前記巻回した線材を、前記固定板から所定長さの位置で切断する切断工程とを備え、
前記中間板を挟んで両側に切断した線材からなる２列のピン配列と固定板とから構成される放電素子を加工することを特徴とする直流ストリーマ放電の放電素子の加工方法。
【請求項５】
ピンの太さ同厚の板材を、ピンの１本分から数本分の太さと同程度の間隔をあけ、ピンと同寸の長さでプレス加工して複数本のピンを形成するプレス加工工程と、
前記プレス加工工程で加工した２枚の板材を中間板を挟んで両側に配置し、前記２枚の板材の外側の両側面を固定板で固定する固定工程とを備え、
前記中間板を挟んで両側にプレス加工した板材からなる２列のピン配列と固定板とから構成される放電素子を加工することを特徴とする直流ストリーマ放電の放電素子の加工方法。
【請求項６】
請求項１から請求項３の何れかに記載された放電素子と、
前記放電素子を複数枚取り付ける回転自在のロータリーと、
前記ロータリーに取り付けられた複数枚の放電素子を内部に収納する筒状の本体ケースとを備え、
前記本体ケースの内面は前記放電素子の対極面を構成し、前記対極面とロータリーに取り付けられた放電素子との間の放電間隔と、放電素子に印加する電圧との比率は１．２以下とし、
前記筒状の本体ケース内の取り込んだ有害物質を放電素子によるストリーマ放電で生成されるラジカルによって酸化して除去することを特徴とする、有害物質除去装置。
【請求項７】
前記本体ケースは、前記ロータリーの回転軸と同方向に薄バネ板からなる放電ピン清掃板を備え、
前記ロータリーは、前記ピンよりも短い高さピンガイド板を、前記放電素子に平行で、前記ロータリーの回転方向の前方位置に設けることを特徴とする、請求項６に記載の有害物質除去装置。
【請求項８】
前記ロータリーは、前記本体ケースに対して着脱自在とし、
前記ロータリーを交換することによって前記放電素子を交換することを特徴とする、請求項６又は７に記載の有害物質除去装置。
【請求項９】
前記本体ケースの内面に光触媒を塗布し、当該光触媒をストリーマ放電による紫外線によって励起することを特徴とする、請求項６から８の何れか一つに記載の有害物質除去装置。
【請求項１０】
ストリーマ放電で生成されたオゾンを分解するオゾン分解フィルターと、
活性種を励起する光触媒フィルターとを放電素子の後方に順に配置することを特徴とする、請求項６から９の何れか一つに記載の有害物質除去装置。